(57)【特許請求の範囲】
【請求項１】
側面外装エレメント（１１，１２）と外装エレメント（１３，１４）により形成された、開放された側を有するフレーム、を備えたハウジングであって、フレームにドアシートが枢着結合されており、ドアシートが、フレームの開放された側を、閉鎖および開放する位置に移動できる形式のものにおいて、
前記閉鎖する位置のドアシート（１６）に対して垂直に位置する外装エレメント（１３，１４）と該ドアシート（１６）とが同一方向に押出成形されていて、それぞれの押出成形方向の長さが同じであって、これにより当該押出成形方向のハウジング（１０）の寸法を確定しており、
ドアシート（１６）の押出成形方向に垂直な端面が、前記閉鎖する位置において、側面外装エレメント（１１，１２）により覆われており、
ドアシート（１６）の押出成形方向に延びる側端部が、貫通した軸受収容部（１７）として形成されており、
該軸受収容部（１７）に対応して側面外装エレメント（１１，１２）にねじ山付孔（２３）が設けられており、該ねじ山付孔（２３）内に軸受ピン（２０）が螺入されて、該軸受ピン（２０）のピン端部（２２）が、軸受収容部（１７）内に導入されており、かつ、
側面外装エレメント（１１，１２）が差込み結合及び／又はねじ結合により外装エレメント（１３，１４）に結合されている
ことを特徴とする、ハウジング。
【請求項２】
ドアシート（１６）が二重壁状に形成されていて、仕切り壁（１８）により複数の長手方向室（１９）に分割されている、請求項１記載のハウジング。
【請求項３】
側面外装エレメント（１１，１２）が、外装エレメント（１３，１４）との結合領域に凹欠部又は開口（３０）を有しており、該凹欠部又は開口（３０）内に結合プレート（３１）が挿入可能又は係入可能であり、該結合プレート（３１）が、外装エレメント（１３，１４）に、ねじ（３２）を用いて結合されている、請求項１記載のハウジング。
【請求項４】
側面外装エレメント（１１，１２）と、外装エレメント（１３，１４）とが、ハウジング（１０）のドアシート（１６）に面した側で、ドアシート（１６）のための収容部（２４）を形成しており、閉鎖する位置にあるドアシート（１６）が該収容部（２４）に収容されて、ハウジング（１０）の外側輪郭が面一となっている、請求項１から３までのいずれか１項記載のハウジング。
【請求項５】
ドアシート（１６）の内壁又は外壁に固定孔（２６）が穿設されていて、該固定孔（２６）が長手方向室（１９）内に開口しており、長手方向室（１９）内にスライドナット（２５）が導入されていて、該スライドナット（２５）内に、前記固定孔（２６）を通じて導入された固定ねじ（２７）が螺入可能である、請求項２記載のハウジング。
【発明の詳細な説明】
【０００１】
【発明の属する技術分野】
本発明は、外装エレメントと少なくとも１つのドアシートとを備えたハウジングに関する。このようなハウジングの場合、ドアシートは閉鎖位置及び開放位置に調節可能であり、開放位置ではハウジング内室へのアクセスを確保する。
【０００２】
【従来の技術】
この種のハウジングはしばしばフラット構造で、機械制御のための制御ハウジング及び／又は操作ハウジングとして使用される。この際に、制御及び／又は操作及び／又は表示に関する必要に応じて、種々異なるサイズの収容室を備えたハウジングが必要である。従来のハウジングボディの場合、サイズごとに外装エレメントの少なくとも一部分を変更し、その際、外装エレメントはケースバイケースで製作されなければならない。
【０００３】
【発明が解決しようとする課題】
したがって本発明の課題は、冒頭で述べた形式のハウジングを改良して、簡単にサイズを種々異なるハウジング内室に関して適合し得るようなハウジングを提供することである。
【０００４】
【課題を解決するための手段】
この課題を解決するために本発明の構成では、枢着軸線の方向で延在したドアシートと、枢着軸線に方向付けられ且つドアシートの閉鎖位置に対して垂直に位置した外装エレメントとが、同じ長さの、押出成形材の区分として形成されており、該区分の長さに基づいて、枢着軸線の方向に方向付けられた、ハウジングの寸法が確定されるようにした。
【０００５】
【発明の効果】
このハウジング構造は、ドアシートのための、押出成形材から短くされた区分と、それにより決定された外装エレメントのための、押出成形材から短くされた区分とに基づくだけで変更可能である。押出成形材として形成された外装エレメントと、ドアシートとが取り付けられている側面外装エレメントはすべてのハウジングサイズで同じである。組付け手間も同様にすべてのハウジングサイズで同じである。押出成形材区分の長さのみが変化する。要求された様々なハウジング内室に合わせることに、このハウジング構造の場合、何ら問題は生じないし、さらにドアシートはいずれにしてもハウジング内室への妨げられることのないアクセスを許可する。
【０００６】
本発明の有利な構成では、ドアシートが二重壁状に形成されていて、仕切り壁により複数の長手方向室に分割されており、且つドアシートの、押出成形方向に延在する側部が、一貫した軸受収容部として形成されている。一貫した軸受収容部によりドアシートは容易にハウジングの背壁又は底壁として使用される。
【０００７】
本発明の別の有利な構成では、ドアシートが、開いた端面の領域で、対面した側面外装エレメントにより覆われており、該側面外装エレメントには軸受収容部の領域にねじ山付孔が設けられていて、該ねじ山付孔内に軸受ピンが螺入可能であり、該軸受ピンのピン端部が、ドアシートに設けられた軸受収容部内に導入可能である。これにより、ハウジングへのドアシートの取付けは簡単な構成で解決される。それ故、４つの軸受ピンによりドアシートは閉鎖位置でハウジングに固定される。ドアシートの一方の側で両軸受ピンを取り除くと、ドアシートは旋回可能にハウジングに保持される。この場合、取り除く軸受ピンを選択することにより、ドアシートの戸当たり形式、つまりドアシートをどの方向に開放し得るかを、左向き又は右向きにもしくは下向き又は上向きに確定することができる。
【０００８】
ハウジングの組立のために、本発明の別の有利な構成では、側面外装エレメントが差込み結合及び／又はねじ結合により、押出成形材区分として形成された外装エレメントに結合されている。この場合、詳細には、側面外装エレメントが、押出成形材区分として形成された外装エレメントとの結合領域に凹欠部又は開口を有しており、該凹欠部又は開口内に結合プレートが挿入可能又は係入可能であり、該結合プレートが、押出成形材区分として形成された外装エレメントの螺合通路に、ねじを用いて螺設されている。
【０００９】
ハウジングが、ドアシートの閉鎖位置において、コンパクトで閉じた外側輪郭を有するようにするために、本発明の別の有利な構成では、側面外装エレメントと、押出成形材区分として形成された外装エレメントとが、ハウジングの、ドアシートに面した側で、ドアシートのための収容部を形成しており、閉鎖位置にあるドアシートがハウジングの外側輪郭を面一に完全なものにしている。
【００１０】
本発明の別の有利な構成では、ドアシートに付加部分を固定するために、ドアシートの内壁又は外壁に固定孔が穿設されていて、該固定孔が長手方向室内に同じく開口しており、長手方向室内にスライドナットが導入されていて、該スライドナット内に、前記固定孔を通じて導入された固定ねじが螺入可能である。
【００１１】
同じ目的を達成し得るために、ドアシートの内壁又は外壁に長孔が穿設されていて、該長孔が長手方向室内に開口しており、長孔内に係止ナットが導入可能であり、９０゜だけ回動させることにより、その中で固定可能であって、そうして固定された係止ナット内に固定ねじが螺入可能である。
【００１２】
【発明の実施の形態】
以下に図面を参照しながら本発明の実施例について詳説する。
【００１３】
図１に示した、ハウジング１０の実施例の場合、外装エレメント１３，１４、フロントプレート１５及びドアシート１６つまり戸は幅、ひいてはハウジング内室のサイズを決定する。フロントプレート１５はブランクとして任意の寸法に製作することができ、ハウジング１０が操作ハウジングとして使用される場合、フロントプレート１５は操作エレメント及び表示エレメントを収容する。
【００１４】
ハウジング１０を完全なものにするために、２つの同一の側面外装エレメント１１，１２が必要であって、側面外装エレメント１１，１２はハウジングサイズとは無関係に用意される。
【００１５】
結合エレメント１３，１４は第１の押出成形材から短くされ、つまり切り出され、ドアシート１６は第２の押出成形材から同じ長さに短くされる。押出成形材区分の選択された長さによりハウジングサイズが決定される。側面外装エレメント１１，１２は、押出成形材区分として形成された外装エレメント１３，１４と共にフレームを形成し、このフレームは、環状に延在する溝によりフロントプレート１５を収容して固く保持する。
【００１６】
側面外装エレメント１１，１２は、外装エレメント１３，１４に対する結合領域に凹欠部又は開口３０を有しており、該凹欠部又は開口３０に結合プレート３１が挿入可能又は係入可能である。ねじ３２により、結合プレート３１は外装エレメント１３，１４に螺設されることが可能で、外装エレメント１３，１４は、このために一体成形された螺合通路を有している。
【００１７】
ドアシート１６は二重壁状に形成されており、仕切り壁１８により複数の長手方向室１９に分割されている。押出成形方向に延在する、ドアシート１６の側部には、一体成形されて一貫した軸受収容部１７が設けられている。側面外装エレメント１１，１２はドアシート１６に面して、段付けされた収容部２４を、閉鎖位置にあるドアシート１６のために形成している。外装エレメント１３，１４も同様に、閉鎖位置にあるドアシート１６がハウジング１０の外側輪郭を完全に且つコンパクトに閉じるように段付けされている。
【００１８】
側面外装エレメント１１，１２は閉鎖位置においてドアシート１６の開いた端面を覆い、且つ側面外装エレメント１１，１２には軸受収容部１７の領域にねじ山付孔２３が設けられている。
【００１９】
ドアシート１６を側面外装エレメント１１，１２に固定するために、軸受ピンが使用され、軸受ピンのねじ山部分２１は、側面外装エレメント１１，１２に設けられたねじ山付孔２３内に、そのピン端部２２が軸受収容部１７内に導入されているようになるまで螺入されている。
【００２０】
４つの軸受ピン２０により、閉鎖位置にあるドアシート１６がハウジング１０に固定されている。ドアシート１６の一方の側部で両軸受ピン２０が取り除かれると、ドアシート１６は、他方の両軸受ピン２０により形成された旋回軸線を中心にして旋回することができ、開放されることができる。このような形式でドアシート１６はハウジング内室へのアクセスを可能にすることができる。４つのすべての軸受ピン２０を取り除くと、ドアシート１６を完全にハウジング１０から取り外すことができる。軸受ピン２０の一方のペア又は他方のペアを選択することにより、ドアシート１６の戸当たり形式、つまりドアシートをどの方向に開放し得るかを、左向き又は右向きにもしくは下向き又は上向きに確定することができる。既述したように、外装エレメント１３，１４と、ひいてはドアシート１６のための旋回軸線とは、ドアシート１６の開放に悪影響を及ぼすことなく、水平又は垂直に方向付けられることが可能である。
【００２１】
図２に示されているように、例えばドアシート１６の内側又は外側から固定孔２６が穿設されることができ、この固定孔２６は長手方向室１９内で終わっている。長手方向室１９内にスライドナット（Ｓｃｈｉｅｂｅｍｕｔｔｅｒ）２５が挿入されることができ、その後でスライドナット２５内に、固定孔２６を通じて導入された固定ねじ２７が螺入され得る。これにより、付属部分がドアシート１６の内壁又は外壁に結合される。
【００２２】
しかし、ドアシート１６は長手方向室１９の領域に長孔２８を有していてもよく、長孔２８内に、市場に流通しているような係止ナット２９が導入可能で、９０゜だけ回動させられることにより、その中で固定され得る。そのようにして固定された係止ナット２９は、付加部分をドアシート１６に固定するために利用され得る。
【図面の簡単な説明】
【図１】枢着されていて開いたドアシートを備えた、フラットハウジングとして形成された操作ハウジングの概略図である。
【図２】ドアシートの部分拡大図である。
【符号の説明】
１０  ハウジング、  １１  側面外装エレメント、  １２  側面外装エレメント、  １３  外装エレメント、  １４  外装エレメント、  １５  フロントプレート、  １６  ドアシート、  １７  軸受収容部、  １８  仕切り壁、  １９  長手方向室、  ２０  軸受ピン、  ２１  ねじ山部分、  ２２  ピン端部、  ２３  ねじ山付孔、  ２４  収容部、  ２５  スライドナット、  ２６  固定孔、２７  固定ねじ、  ２８  長孔、  ２９  係止ナット、  ３０  凹欠部又は開口、  ３１  結合プレート、  ３２  ねじ
【図１】
0004129197.tif 000002
【図２】
0004129197.tif 000003